(57)【特許請求の範囲】
【請求項１】
複数の光ファイバ結合組立て体（１００、１０２）を保持するために、それぞれ複数の通路（７４、１０６）を有し縦方向に間隔をおいて配置された前部および後部コネクタ（１２、１６）を含む光ファイバコネクタシステム（１０）であって、
前記後部コネクタは、複数の前記光ファイバ結合組立て体を受入れる複数の通路（７４）を有する後部モジュール本体（５４）を含む第１の後部モジュール（６０）を含み、前記第１の後部モジュールは前記後部モジュール本体と隣接して位置する前方端部（１７０）を有する縦方向に延長された第１の後部シェル（８４）を含み、前記光ファイバ結合組立て体は前記後部モジュール本体（５４）内に位置する第１の部分とそして前記第１の後部シェルを通って後方に延在する第２の部分を有する光ファイバ（８０）を含み、
各光ファイバ結合組立て体は後部モジュール本体の後部から後方に移動可能であり、そして前記光ファイバを取り囲む前記第１の後部シェルは、第１の後部シェルが光ファイバに沿って後方にスライドするまで、前記光ファイバ結合組立て体へのアクセスを防止し、
前記第１の後部シェルは１対のファスナ受入れ後部シェル通路（１６２、１８４）を有し、
一対の後部シェルファスナ（１７２）が前記後部シェル通路を通って延在し、各後部シェルファスナは前記後部モジュール本体と分離可能に接続される前端部（１７４）を有し、そして各後部シェルファスナは、後部モジュール本体を前部コネクタから取除くことなく、第１の後部シェルを後部モジュール本体から分離するために、対応する通路の後部に隣接する位置から操作可能な後端部（１７６）を有するシステム。
【請求項２】
前記後部コネクタはそれぞれが後方に開いている複数のモジュール受入れポート（５２）を形成する通路壁を有する主後部シェル（５０）を含み、
前記後部コネクタは前記第１の後部モジュール本体を含む複数のモジュール本体を含み、前記モジュール本体はそれぞれ前記ポートの１つに位置し、
それぞれが前記モジュール本体（５４）の１つを前記主後部シェル（５０）に固定する複数のモジュールファスナ（１５０）対を有する、
請求項１に記載のシステム。
【請求項３】
前記後部シェルファスナはそれぞれが縦方向に延在するレンチ受入れ通路（１９２）を有し、
前記モジュールファスナ（１５０）のそれぞれは前記主後部シェルとねじ結合するねじが切られた前端部（１５２）を有し、そして前記レンチ受入れ通路の１つと整列して位置する後端部（１６０）を有する、
請求項１または２に記載のシステム。
【請求項４】
外側にねじが切られた前方部分（１８２）と内側にねじが切られた後方部分（１８４）を有する結合スリーブ（１８０）を含み、前記スリーブ前方部分は前記モジュールファスナ（１５０）の１つを囲みそして前記第１のモジュール本体（５４）と直接ねじ込みにより組み合され、そして前記スリーブ後方部分は前記後部シェルファスナの１つの前端部（１７４）を囲みそしてねじ込みにより組み合されている、
請求項１〜３の何れか１項に記載のシステム。
【請求項５】
前記第１の後部シェルは矩形の形状の外側表面を有する前端部（１７０）を有し、この前端部（１７０）は前記矩形の形状の斜め方向の相対する側に前記ファスナ受入れ通路（１６２）形成する内部壁を有する
請求項１〜４の何れか１項に記載のシステム。
【請求項６】
一方が他方の縦方向の後方に位置する前部および後部コネクタ（１２、１６）を含み、各コネクタはそれぞれが複数のファイバ受入れ通路（７４、１０６）を備えた複数のモジュール領域（３４、５６）を有する光ファイバコネクタシステムであって、各通路は光ファイバ結合組立て体（１００、１０２）を保持するためにあり、
前記後部コネクタは、それぞれ後方に開いておりそしてそれぞれ前記モジュール領域の１つを形成する複数のモジュール受入れポート（５２）を有する主後部シェル（５０）を含み、
前記主後部シェルは各ポート内に位置する一対の内部フランジ部分（１４０）を有し、各フランジ部分はフランジねじ孔（１４４）を有し、
前記後部コネクタ（１６）は、それぞれ複数の前記ファイバ受入れ通路を備え、そして一対のファスナ受入れ孔（１６２）を備えた、各後部モジュール本体（５４）を含む複数の後部モジュールを含み、前記ファスナ受入れ孔は前記ポートの１つに対応するフランジねじ孔（１４４）の対として配置され、
前記後部コネクタはそれぞれが前記モジュール本体の１つの前記ファスナ受入れ孔の１つに位置する一対のねじジャッキ（１５０）を含み、各ねじジャッキは前記フランジねじ孔（１４４）の１つにねじ込まれて組み合されるねじが切られた前端部（１５２）を有し、そして各ねじジャッキは、モジュール本体が対応するモジュール受入れポートから後方に移動するのを防止するために、前記後部モジュール本体の１つと接触する前方に面する肩部（１５６）を有し、各ねじジャッキはねじジャッキを移動しそして固定するためにレンチにより回転するための後方に面するレンチ受入れ面（１６０）を有する、
コネクタシステム。
【請求項７】
前記ねじジャッキ（１５０）のそれぞれは、それのねじが切られた前端部の後方に間隔を置いて配置された外側フランジ（１５４）を有し、
前記後部モジュール本体（５４）のそれぞれは、前記ファスナ受入れ孔の１つの一部であるねじ孔部分（１９０）と、そして前記ねじ孔部分の１つにねじ込んで組み合される外側にねじが切られた前端部（１８２）を有する結合スリーブ（１８０）とを含み
前記結合スリーブ（１８０）は前記ねじジャッキの１つの外側フランジと実質的に接触し、そして前記スリーブは内側にねじが切られた後方部分（１８４）を有し、
前記後部コネクタはそれぞれが前記後部モジュールの１つの通路内に位置する光ファイバ結合組立て体の光ファイバを囲む複数の後部シェル（８４）を含み、
前記後部コネクタは前記後部シェル（８４）の１つと接触しそして前記結合スリーブの１つのねじが切られた後方部分（１８４）にねじ込まれて固定されるファスナ（１７２）を含む、
請求項６に記載のシステム。
【請求項８】
前記後部コネクタは、
それぞれが前記モジュールの１つの通路内に位置する光ファイバ結合組立て体の光ファイバを囲む複数の後部シェル（８４）と、
後部シェルの後方への移動を防止するために前記後部シェルの１つにそれぞれ接触し、そしてそれぞれが前記後部モジュール本体（５４）の１つと結合する前端部（１７４）を有する一対の縦方向に延在する後部シェルファスナ（１７２）とを含み、各ねじジャッキ（１５０）は縦方向に延在しそして各後部シェルファスナは前記ねじジャッキの１つと整列する、
請求項６または７に記載のシステム。
【請求項９】
前記後部コネクタは、
それぞれが前記後部モジュール（６０）の１つの通路（７４）に位置する光ファイバ結合組立て体（１００）の光ファイバを囲む複数の縦方向に延在する後部シェル（８４）と、なお、各後部シェルは前記後部モジュール本体（５４）の１つに固定された前端部（１７０）を有し、そして各後部シェルは後端部を有し、
それぞれが複数の光ファイバ（８０）を含み、そしてジャケット（９６）が前記光ファイバの周囲に位置する複数のケーブル（８２）とを有し、
各ケーブルの前記ジャケットは、後部シェルの前端部よりも後端部に近い位置であって、前記後部シェルの１つの内側位置において、前記光ファイバの周囲から取除かれている、
請求項６〜８のいずれか１項に記載のシステム。
【請求項１０】
前記後部コネクタは、
それぞれ前記モジュールの１つの通路内に位置する光ファイバ結合組立て体の光ファイバ（８０）を囲む複数の縦方向に延在する後部シェル（８４）と、なお、各後部シェルは前記後部モジュール本体（５４）の１つに固定される前端部（１７０）を有し、そして各後部シェルは後端部を有し、
それぞれが複数の光ファイバ（８０）を含み、そしてジャケット（９６）が前記光ファイバの周囲に位置する複数のケーブル（８２）と、
なお、各ケーブルの前記ジャケットは、前記後部シェルの１つの内側の位置において前記光ファイバの周囲から取除かれており、
前記後部シェル内に少なくとも部分的に位置し、そして前記位置において前記ケーブルを併せて保持するケーブル結合部（２１０）とを含み、前記ケーブル結合部は対応する前記後部モジュール本体（５４）の１つに固定される、
請求項６〜９の何れか１項に記載のシステム。
【請求項１１】
前記後部モジュール本体（５４）のそれぞれは平行な上部および下部の水平な面、および前記上部および下部の面に対し垂直に延在し、前記上部および下部の面に対し隅部分において結合する平行な横方向に間隔をおいて配置された垂直な面を有し、
前記後部モジュール本体は一対の前記隅部分において切り込み部（１５３）を備えた前端部部分（７０）を有し、前記内部フランジ部品（１４０）は前記切り込み部に位置する請求項６〜１０の何れか１項に記載のシステム。
【発明の詳細な説明】
【０００１】
【発明の属する技術分野】
全ての他の光ファイバ組立て体を通る通信を妨害すること無しに、単一の光ファイバ組立て体に対する保守が容易である、大容量且つ高密度の光ファイバコネクタに対する必要性がある。例えば、パネル上の領域において8インチ平方（１つの側部が２０ｃｍ）に適合する数１００の光ファイバ組立て体を有するコネクタシステムに関する要求があり、このシステムは各々が３２本のファイバの独立したモジュールにより形成されている。かかる組立て体は、他の数１００本の光ファイバを通る通信を混乱させることなしに、単一のファイバ組立て体を清浄化するためまたは他の保全のために取り除きそして修理することを可能にしなければならない。極めて小型であるが、それでもなお個々のファイバの保守が可能なシステムは価値のあるものである。
【従来の技術】
【特許文献１】
米国特許第３、２０９、３０２号明細書
【特許文献２】
米国特許第４、８９５、４２５号明細書
【特許文献３】
米国特許第４、９０６、１９７号明細書
【特許文献４】
米国特許第５、２１６、７３２号明細書
【特許文献５】
米国特許第５、３０６、１５９号明細書
【特許文献６】
米国特許第５、４９７、４４４号明細書
【特許文献７】
米国特許第５、５５５、３３２号明細書
【特許文献８】
米国特許第５、６００、７４７号明細書
【特許文献９】
米国特許第５、９３０、４２５号明細書
【特許文献１０】
米国特許第６、０６９、９９２号明細書
【特許文献１１】
米国特許第６、２３８、０９９号明細書
【０００２】
【課題を解決するための手段】
本発明の１つの実施の形態に従って、出願人は、効率の良い光結合のための各一対の結合された光ファイバ組み立て体に関する、個々の配列スリーブ（alignment sleeve）と負荷をかけるスプリングとを有する形の光ファイバコネクタシステムを提供する。このシステムは複数のモジュールのそれぞれから個々の光ファイバ組み立て体へ容易にアクセス可能とするように延在するファイバおよびケーブルの構造を与える。各後部モジュール（rear module）はモジュール本体およびモジュール本体から後方に延在する後部シェル（backshell）を含む。複数の光ファイバをそれぞれ含む光ファイバケーブルは、後部シェル内に位置するジャケット前端部を有するジャケット(jacket)を有する。ジャケット部における前方へ延在し後部シェルの前部内での自由な光ファイバ部分は、後部モジュール本体の通路内へ延在する。各後部シェルは矩形の前部端部を有し、そして各後部シェルは相対する角に一対のファスナ（fastener）を受け入れる後部シェル通路を有する。一対の後部シェルファスナは各後部シェル通路を通って延在し、各ファスナはモジュールの後部本体に分離可能に結合される前端部を有する。
【０００３】
モジュールは主後部シェル（main rear shell）に対応するポート（port）の複数の行および列内に配置される。各ポートはモジュール本体の１つを受け入れ、そしてねじジャッキ（jackscrew）を受け入れるための一対の内部フランジを有する。
【０００４】
各モジュール本体を後部シェルに固定するねじジャッキは後部シェルファスナに対し位置を調整させられる。後部シェルファスナはそれらの軸に沿って延在するレンチ−受け入れ通路を有し、このためレンチはねじジャッキを回転させるために後部シェルファスナを通って通過することができる。
【０００５】
ケーブル支持部は後部シェル内に位置しそして光ケーブルの前端部を保持する後端部を有し、ここで個々のケーブルはケーブルジャケットの巻き付けが解かれる。ケーブル支持部は前方へ延在しケーブル前端部の位置に固定させるためにモジュールハウジングと結合するポスト（post）有する。このことは、個々の光ファイバ組立て体のモジュールハウジングの通路からの移動を容易にする。
【０００６】
本発明の新規な特徴が特に特許請求の範囲において示される。本発明は添付の図面と組み合わせて読むことにより、以下の記述から良く理解されるであろう。
【０００７】
【発明の実施の形態】
図１は、８インチ×８インチの横方向Ｌおよび垂直方向Ｖに小さい断面を有する光ファイバコネクタシステム１０を示し、そしてこれはさらに３２０本の光ファイバを効率よく結合する。後部の光ファイバケーブル８２は示されているが、前部の光ファイバケーブルは示されていない。このシステムは引出し部または棚板に取付けられたリセプタクル（receptacle）または前部コネクタ１２、およびパネル２０に取付けられたプラグまたは後部コネクタ１６を含む。引出し部ロック２２は引出し部を固定し、ハンドル２４は互いに接続しているコネクタ１２、１６を引抜く主ねじジャッキ２６を回転させるため回転することができる。コネクタが共に移動する場合、２つのコネクタの光ファイバの先端は、光ファイバを結合するために先端が接触するまで共に移動する（先端がまだ接触していない場合）。
【０００８】
図２は２つのコネクタ１２、１４を示す。前部コネクタ１２は１０個のモジュール領域３４を含む前部シェルおよび本体装置３２を含む。各モジュール領域はそれぞれ光ファイバ結合組立て体（optical fiber coupling assembly）を受入れる３２個の通路３６を含む。１０個のスリーブ保持フレーム４０がそれぞれ３２本の配列スリーブを保持し、そして前部シェルおよび本体装置３２に取付けられる。後部コネクタ１４は複数のモジュール受入れポート５２を有する主後部シェル５０を含む。各ポート５２は後部モジュール６０のモジュール本体５４の一部分、そして望ましくは大部分、を受け入れる。後部コネクタは３個の垂直方向Ｖに延在する列６１〜６３、および複数の横方向Ｌに延在する行に配置された１０個の後部モジュール６０によって占有される１０個のモジュール領域５６を含む。それぞれの側部の列６１、６３に４個のモジュールが存在し、中央の列６２に２個のモジュールが存在する。図３は主後部シェル５０およびそのポート５２の詳細を示す。
【０００９】
図４は後部モジュール本体５４が前部プレート７０および後部プレート７２を含むことを示す。これらのプレートは通路７４の横方向Ｌに延在する行および縦方向Ｖに延在する列を形成する。各通路は光ファイバ結合組立て体７６を保持する。３２本の光ファイバ８０が３２個の通路から後方に延在する。各光ファイバ８０は実際にはその周囲に外装材を有しそして通常保護カバーを有する細い光ファイバ要素を含むことに注意すべきである。光ファイバは８本の光ファイバをそれぞれ保持する４本の光ケーブル８２から現れる。後部シェル８４は４本の光ケーブルの前端部９０を取り囲み、そしてケーブルのジャケット９６により取り囲まれていない自由光ファイバ部分（free optical fiber portion）９２を取り囲み、そしてモジュール本体の後部に位置する。自由光ファイバ部分９２はケーブル前端部９０から後部モジュール本体５４に延在する。自由光ファイバ部分９２の長さは望ましくは少なくとも後部シェル８４の半分の長さである。後部シェルの後端部においてケーブルは後部シェルに取付けられ４本の光ケーブルに対する引張りの軽減を提供するケーブル曲げ軽減部（cable bend relief）９４に向かう。後部シェルの縦方向の長さはモジュール本体の長さの４倍より長いことが望ましい。
【００１０】
図６は前部および後部コネクタの通路７４、１０６に位置する一対の光ファイバ結合組立て体１００、１０２を示す。各後部結合組立て体１００はフェルール（ferrule）１１２を通って延在するファイバの前部端部１１０を有する光ファイバ８０を含む。ファイバ前部端部１１０の前方先端部は前部コネクタの前部光ファイバ結合組立て体１０２のファイバの前部先端部と接触する。セラミック配列スリーブ１１４は２つのフェルールを正確に配列させ、一方後部コネクタのスプリング１１６はファイバ先端部を互いに固く接触させるために駆動する。配列スリーブは２つのスリーブフレームプレート４０Ａ、４０Ｂ含むスリーブフレーム４０内に保持される。
【００１１】
配列ポスト１２０は留め金具ピン１２２により前部コネクタシェル装置３２に対し締め付けられる。ポストの後部部分は後部モジュール本体５４内の配列スリーブ部材１２４内に突出する。本体５４は主後部シェル５０のポート５２の１つに位置する。
【００１２】
個々の後部光ファイバ結合組立て体１００は保持クリップ１３０を拡張するように通路７４を通って工具を挿入することにより移動させることができる。かかる工具は長さ方向に沿って光ファイバを受入れるための溝を有する筒形の形状である。光ファイバ結合組立て体１００は工具が配置されている間にそこで光ファイバ８０を単に後方に引張ることにより取除かれる。
【００１３】
図３に示すように、主後部シェル５０はそのポート５２のそれぞれに突出する一対の内部フランジ部品１４０を有する。各内部フランジ部品はねじを切った孔１４４を有する。図４は後部モジュール本体５４を対応する主後部シェルポートに確実に保持するために、各後部モジュール６０が主後部シェルのねじの切られた孔の１つにねじ込むことのできるねじが切られた前端部を有する一対のねじジャッキ１５０を含むことを示す。ねじジャッキのねじすじは差し込みピン（bayonet）形のねじすじにすることもできる。
【００１４】
図７は主後部シェル５０のポート５２内に位置する内部フランジ部品１４０のねじ孔１４４内にねじ込まれるねじが切られた前端部１５２を有するねじジャッキ１５０の１つを示す。モジュール本体５４は内部フランジ部品１４０を受け入れる切り込み部１５３を有する。ねじジャッキは後部モジュール本体５４の後部プレート７２の対応する肩部と接触する前方に面する肩部１５６を形成する外側フランジ１５４を有する。後部プレート７２は前部プレート７０を内部フランジ１４０に対して押圧する。ねじジャッキはねじジャッキを緩めるため、または締め付けるために、回転するためのレンチ−組合わせ(wrench-engaging)後端部１６０を有する。特定のレンチ−組合わせ端部１６０は六角形の空洞を有するが、六角形の外側部または他のレンチ−組合わせが可能な形状を含むこともできる。後部シェル８４はねじジャッキ１５０が配列されるファスナ−受け入れ通路１６２を有する。
【００１５】
図４は後部シェル８４が大きい矩形の前端部１７０および大きい円形の後端部１７１を有し、そして後部シェルは相対する角に一対の後部シェル通路１６２を有しそしてその長さ方向の大部分に沿って延在することを示す。一対の後部シェルファスナ１７２が後部シェル通路１６２内に位置しそして後部シェル前端部１７０を後部モジュール本体５４に対して保持するのに利用される。各後部シェルファスナ１７２はねじが切られた前端部１７４を有する。各後部シェルファスナは後端部１７６をねじ回しにより回転させるための溝部のような非円形面を有する。
【００１６】
再度図７を参照すると、後部モジュールは外側にねじが切られた前方部分１８２および内側にねじが切られた後方部分１８４を有する結合スリーブ１８０を含むことが分かる。スリーブ１８０は後部モジュール本体の一部と考えることができる。スリーブの前方部分１８２は後部モジュール本体の後部プレート７２内のねじが切られた孔１９０とねじ込まれるようにして組み合される。スリーブ後端部１８４は後部シェルのファスナ１７２の前部のねじが切られた端部１７４とねじ込まれるようにして組み合される。後部シェルファスナは、ねじジャッキの後端部１６０を回転させるために、１９４に示されるレンチを受入れ可能なレンチ−受入れ通路１９２を有する。ねじジャッキ１５０および後部シェルファスナ１７２は、望ましくは縦方向Ｍに配列されたこれらの軸１９６に配列される。その内部において代わりに、それらの後端部が後部シェルファスナ前端部の前方に位置する非常に短い後部ねじを使用することができる。
【００１７】
後部モジュール６０を完全に取除くことを望む場合には、ねじジャッキ１５０を回転するためのレンチ１９４を使用し、後部モジュール本体５４を後方に移動するようにして達成することができる。実際には、主後部シェル５０のポートにモジュール本体を保持する２つのねじジャッキのそれぞれは、後部モジュールを後方に移動させるために、後部モジュール本体の通路に位置する３２本の光結合組立て体を損傷させる可能性のある傾きを最小の傾きにして、一度に多分１／２回転してねじが緩められる。３２本の光ファイバを有する後部シェル８４は１単位として全てが取除かれるであろう。図２は取除かれた後部モジュール６０の１つを示し、その結果それに対し他の後部モジュールが取り換え可能となる。
【００１８】
多くの場合には、単一の光ファイバ結合組立て体１００（図６を参照）を取除くことが望ましい。例えばこのことは、通常のパーセントより少ない光が一対の前部および後部光ファイバ結合組立て体間において伝送されているような場合に生ずる。単一の結合組立体のみを取除くことにより、提案者は１本の光ファイバ結合組立体を通して搬送される限定された数の通信チャネルのみを、予備として準備されている他の結合組立体に切換えることが必要となる。もし３２本の光ファイバ結合組立て体のうちの１本に欠陥が検出された場合に、常にモジュール全体を除去しなければならない場合には、３２倍の多くのチャネルを切換えなければならないだろう。
【００１９】
単一の光ファイバ結合組立て体１００を除去するために、提案者は最初に後部シェル８４を取除く（図７を参照）。提案者はこのことを２つの後部シェルファスナ１７２を対応する結合スリーブ後方部分１８４から緩めることにより達成する。その結果、図４に示すような構成となり、個々の光ファイバ８０の自由部分９２はアクセス可能となる。上で述べたように、専門技術者は保持クリップ１３０（図６参照）内に工具を挿入し、光ファイバ８０をモジュール本体から取除くために、光ファイバ８０を引張る。多くの場合、不十分な光ファイバ接続はファイバの先端およびフェルールを掃除することにより最初の高水準に戻すことができる。取外された光ファイバの先端は掃除するため容易にアクセス可能である。前方ファイバの先端は対応する後部モジュール本体通路７４に沿って、そして前部の光ファイバ組立体１０２のフェルールおよび光りファイバ先端に対向して移動する特別の工具により掃除することができる。この時間の全ての期間において、モジュール内の３１本の他の光ファイバ結合組立体１００は機能し続ける。
【００２０】
図４は４本の光ファイバケーブルがケーブルホルダ２００により保持されそして互いに結合していることを示す。ケーブルホルダは前方に延在しそして後部モジュール本体５４に対しねじ込まれるようにして組み合されている前端部を有するポスト（post）２０２を有する。図６は配列スリーブ１２４の内側にねじが切られた後端部２０６に対しねじ込まれるようにして組み合されているケーブル保持ポストの前端部２０４を示す。図４のポスト２０２は、光ファイバ自由部分９２の整然とした配列を提供するために、ケーブル前端部９０（図４参照）のモジュール本体５４からの間隔を固定する。このことは除去および清掃するために３２本の光ファイバ８０および対応するフェルールのうちの選択された１本にアクセスすることを容易にする。ケーブルホルダはケーブルジャケットに適用された後方に向いた力を直接モジュール本体に対して伝える。ケーブルホルダは望ましくは後部シェルに固定されておらず、そして完全に後部シェル内に位置する。図８はケーブルホルダ２００が４つのかしめスリーブ２１２を含むかしめ部分（crimp section）２１０含むことを示す。４つの光ケーブルのそれぞれのジャケットは各スリーブの前端部２１４の周囲で後方に巻かれ、かしめリング２１６（crimp ring）がジャケットおよびスリーブ前端部２１４の周囲に配置され、そしてかしめリング２１６は各光ケーブルもジャケットに確実に保持するためにかしめられる。４本のかしめスリーブ２１２がポスト２０２の後端部２２２を受入れる孔を有し、位置決め部材２２０内に位置する。除去可能な紐（示されていない）が４本のスリーブの周りにそれらを適切な位置に保持するために巻かれる。
【００２１】
このように、本発明は複数の光ファイバ結合装置を保持するためにそれぞれが複数のモジュール領域を有する前部および後部コネクタを有する光ファイバコネクタシステムを提供する。後部コネクタは複数のモジュール受入れポートを有する主後部シェルを含み、各ポートそれぞれはモジュール領域の１つの一部を形成する。複数の後部モジュールはそれぞれ主後部シェルのポートの１つ内に適合する後部モジュール本体を有する。主後部シェルのポートは複数の行および列に配置され、各行および各列内に複数のポートを有する。各ポートの壁はねじの切られた孔を有する一対の内部フランジ部分を含む。各後部モジュールはフランジ部分の１つとそれぞれがねじ込んで組み合されるねじの切られた前端部を有する一対のねじジャッキを含む。後部シェルは光ファイバケーブルまたは複数ケーブルそしてケーブルの前端部から延在する自由光ファイバ部分を囲むために各後部モジュール本体の後に延在し、ここではジャケットは取除かれている。各後部シェルは後部モジュール本体を固定するためにそれぞれが後部シェルファスナを受入れる一対の後部シェル通路を有する。各後部シェルファスナはねじジャッキの１つと共に配列させられ、これらの双方によって占有される空間量を減少させ、複数の光ファイバ結合組立て体のためにより大きい空間を提供する。各後部シェルファスナはその長さ方向に延在するレンチ受入れ通路を有し、後部シェルを取除く（結果として、ねじジャッキを回転している間に光ファイバを損傷する）ことを要求することなく、ねじジャッキを緩めるためにそこを通してレンチを挿入することができる。基本的に後部シェル内に位置するケーブル保持部材は光ファイバケーブルに取付けられる後端部とモジュール本体に固定される前端部を有する。その結果、光ファイバの自由部分の相対する端部は、１本の光ファイバの除去と置換えを容易にする、複数の光ファイバの整然とした配列を提供するように固定される。
【００２２】
例えここに本発明に関する特定の実施の形態が記載され図示されているとしても、この技術分野の熟練者により改良と変更は容易に行われることが理解され、その結果特許請求の範囲はかかる改良と変更を包含するものと解釈されることを意図するものである。
【図面の簡単な説明】
【図１】図１は本発明の光ファイバコネクタシステムの前方等尺図である。
【図２】図２は図１のコネクタシステムの部分的に分解した部分の相互関係を示す前方等尺図であり、前部および後部コネクタを示し、前部コネクタから分離された個々の配列スリーブフレームを示し、そして後部主シェルから分離された後部モジュールを示す。
【図３】図３は図２の後部コネクタの主後部シェルの前方等尺図である。
【図４】図４は図２の後部コネクタのうち１つの後部モジュールについて分解した部分の相互関係を示す前方等尺図であり、それが完全に取付けられた位置から後方にスライドする後部シェルを有する。
【図５】図５は配列スリーブフレームおよび図２のコネクタシステムのスリーブについて、分解した部分の相互関係を示す前方等尺図である。
【図６】図６は図２のコネクタが完全に結合された場合を示す部分的断面図である。
【図７】図７は図４の後部モジュールの隅の領域について示す断面図であり、そして図３の主後部シェルとの結合を示す。
【図８】図８は図４のケーブル支持部について分解した部分の相互関係を示す前方等尺図である。
【符号の説明】
１０  …  光ファイバコネクタシステム
１２  …  前部コネクタ
１４  …  引出し部または棚板
１６  …  プラグまたは後部コネクタ
２０  …  パネル
２２  …  引出し部ロック
２４  …  ハンドル
２６  …  主ねじジャッキ
３２  …  前部シェルおよび本体装置
３４  …  モジュール領域
３６  …  通路
４０  …  スリーブ保持フレーム
４０Ａ、４０Ｂ  …  スリーブフレームプレート
５０  …  主後部シェル
５２  …  モジュール受入れポート
５４  …  後部モジュール本体
５６  …  モジュール領域
６０  …  後部モジュール
６１−６３  …  列
７０  …  前部プレート
７２  …  後部プレート
７４  …  通路
７６  …  光ファイバ結合組立て体
８０  …  光ファイバ
８２  …  光ファイバケーブル
８４  …  後部シェル
９０  …  前端部
９２  …  自由光ファイバ部分
９４  …  リリーフ部
９６  …  ジャケット
１００  …  光ファイバ結合組立て体
１０２  …  光ファイバ結合組立て体
１０６  …  通路
１１０  …  前部端部
１１２  …  フェルール
１１４  …  配列スリーブ
１１６  …  スプリング
１２０  …  配列ポスト
１２２  …  留め金具ピン
１２４  …  配列スリーブ部材
１３０  …  保持クリップ
１４０  …  内部フランジ部品
１４４  …  ねじ孔
１５０  …  ねじジャッキ
１５２  …  前端部
１５３  …  切込み部
１５４  …  外側フランジ
１５６  …  肩部
１６０  …  後端部
１６２  …  ファスナ受け入れ通路
１７０  …  前端部
１７１  …  後端部
１７２  …  ファスナ
１７４  …  前端部
１７６  …  後端部
１８０  …  結合スリーブ
１８２  …  前方部分
１８４  …  後方部分
１９０  …  孔
１９２  …  レンチ−受入れ通路
１９４  …  レンチ
１９６  …  軸
２００  …  ケーブルホルダ
２０２  …  ポスト
２０４  …  前端部
２０６  …  後端部
２１０  …  かしめ部分
２１２  …  かしめスリーブ
２１４  …  前端部
２１６  …  かしめリング
２２０  …  位置決め部材
２２２  …  後端部
【図１】
0003825399.tif 000002
【図２】
0003825399.tif 000003
【図３】
0003825399.tif 000004
【図４】
0003825399.tif 000005
【図５】
0003825399.tif 000006
【図６】
0003825399.tif 000007
【図７】
0003825399.tif 000008
【図８】
0003825399.tif 000009